【手続補正書】
【提出日】平成23年11月25日(2011.11.25)
【手続補正１】
【補正対象書類名】明細書
【補正対象項目名】０１００
【補正方法】変更
【補正の内容】
【０１００】
【表４】
2011505489.tif 000001
次に、本発明の好ましい態様を示す。
１  エチレン含有ポリマーとカリウム含有組成物とを含むまたはそれらから製造される組成物であって、
前記エチレン含有ポリマーが少なくとも１つのエチレンコポリマー、少なくとも１つの酸コポリマー、酸コポリマーに由来する少なくとも１つのアイオノマー、またはそれらの２つ以上の組み合わせを含み；前記エチレンコポリマーがエチレンと、酢酸ビニル、アルキルアクリレート、アルキルメタクリレート、およびそれらの２つ以上の組み合わせからなる群から選択されるモノマーとに由来する共重合単位または繰り返し単位を含み；前記酸コポリマーがエチレンとアクリル酸、メタクリル酸、またはそれらの組み合わせとに由来する共重合単位または繰り返し単位を含み；前記アイオノマーがカリウム以外の陽イオンで中和されており；
前記カリウム含有組成物が極性コポリマーを含み、かつ極性化合物、ポリオール、またはそれらの組み合わせを含んでいてもよく；前記極性コポリマーがエチレン酸コポリマー、エチレン酸コポリマーのアイオノマー、またはそれらの組み合わせを含み；前記エチレン酸コポリマーがエチレン、および少なくとも１つのＣ3~8α，β−エチレン性不飽和カルボン酸に由来する共重合単位または繰り返し単位を含み、アルキルアクリレート、アルキルメタクリレート、またはそれらの組み合わせを含むコモノマーを含んでいてもよく；前記アルキル基が１〜８個の炭素原子を有し；前記不飽和カルボン酸に由来する単位が、前記エチレン酸コポリマーの重量を基準として、約３〜約３５重量％であり；前記極性化合物が脂肪族有機カルボン酸、前記酸の塩、またはそれらの組み合わせからなる群から選択され；前記酸が３６個より少ない炭素原子を有し；前記極性コポリマーの、または存在するときは前記極性化合物の、または前記エチレン酸コポリマーおよび前記極性コポリマーの両方のカルボン酸部分の８０％超が、カリウム陽イオンで中和されるか、またはカリウム陽イオンとアルカリ金属、遷移金属、およびアルカリ土類金属陽イオンの１つ以上との組み合わせであって、陽イオンの中でカリウムが最も多い組み合わせで中和されており；前記ポリオールが少なくとも３個のヒドロキシル部分を有する、
組成物。
２  前記エチレン含有ポリマーと前記エチレン酸コポリマーとから本質的になる上記１に記載の組成物であって、エチレン酸コポリマー成分のすべて合わせたカルボン酸部分の８０％超がカリウム陽イオンで中和されるか、またはカリウム陽イオンとアルカリ金属、遷移金属、もしくはアルカリ土類金属陽イオンの１つ以上との組み合わせであって、陽イオンの中でカリウムが最も多い組み合わせで中和されている組成物。
３  前記エチレン含有ポリマーがエチレン酢酸ビニルコポリマーまたはエチレンアルキルアクリレートコポリマーである上記１または２に記載の組成物。
４  前記エチレン含有ポリマーがエチレンメチルアクリレートコポリマーである上記１または２に記載の組成物。
５  前記エチレン含有ポリマー、前記エチレン酸コポリマー、および前記ポリオールから本質的になる上記１に記載の組成物であって、エチレン酸コポリマー成分のすべて合わせたカルボン酸部分の８０％超がカリウム陽イオンで中和されるか、またはカリウム陽イオンとアルカリ金属、遷移金属、もしくはアルカリ土類金属陽イオンの１つ以上との組み合わせであって、陽イオンの中でカリウムが最も多い組み合わせで中和されている組成物。
６  前記エチレン含有ポリマーがエチレン酢酸ビニルコポリマーまたはエチレンアルキルアクリレートコポリマーである上記１または５に記載の組成物。
７  前記エチレン含有ポリマーがエチレンメチルアクリレートコポリマーである上記１または５に記載の組成物。
８  前記エチレン含有ポリマーがエチレンアクリル酸アイオノマーまたはエチレンメタクリル酸アイオノマーであり；前記アイオノマーがカリウム以外の陽イオンでまた中和されている上記５に記載の組成物。
９  フィルムもしくはシート、造形もしくは成形品、またはそれらの組み合わせを含む、組成物を含むまたはそれから製造された物品であって；フィルムもしくはシートには単層構造体または多層構造体が含まれ；前記組成物が上記１、２、３、４、５、６、７、または８に特徴付けられる通りである物品。
１０  モノリシックまたは単層構造体を含む上記９に記載の物品。
１１  多層構造体を含み、この構造体の少なくとも１つの層が組成物を含むかまたはそれから製造される上記９に記載の物品。
１２  単層フィルムもしくはシート、または多層フィルムもしくはシートもしくは組成物を含むまたはそれらから製造されたパッケージであって、単層フィルムもしくはシートが上記１０に記載される通りであり、多層フィルムもしくはシートが上記１１に記載される通りであり、組成物が上記１、２、３、４、５、６、７、または８に特徴付けられる通りであるパッケージ。
１３  腐りやすい食料をさらに含む上記１１に記載のパッケージ。
１４  １つ以上の制御セクションを含む容器を含む上記１２または１３に記載のパッケージであって、容器が空気で取り囲まれており；酸素、二酸化炭素、もしくは水蒸気が専ら前記セクションを通って前記パッケージに出入りし；そして前記容器が活発に呼吸する生体物質を含むパッケージ。
１５  前記生体物質が食品または花であり、前記食品が好ましくは生鮮食品である上記１４に記載のパッケージ。
【手続補正２】
【補正対象書類名】特許請求の範囲
【補正対象項目名】全文
【補正方法】変更
【補正の内容】
【特許請求の範囲】
【請求項１】
エチレン含有ポリマーとカリウム含有組成物とを含むまたはそれらから製造される組成物であって、
前記エチレン含有ポリマーがエチレン酢酸ビニルコポリマー、酸コポリマー、酸コポリマーに由来するアイオノマー、またはエチレンアルキルアクリレートコポリマーであり；前記酸コポリマーがエチレンとアクリル酸、メタクリル酸、またはそれらの組み合わせとに由来する共重合単位または繰り返し単位を含み；前記アイオノマーがカリウム以外の陽イオンで中和されており；
前記カリウム含有組成物がエチレン酸コポリマーのアイオノマーを含み、かつ極性化合物、ポリオール、またはそれらの組み合わせを含んでいてもよく；前記エチレン酸コポリマーがエチレン、少なくとも１つのＣ3~8α，β−エチレン性不飽和カルボン酸、および任意選択的にコモノマーに由来する共重合単位または繰り返し単位を含み；前記エチレン酸コポリマーの、または存在するときは前記極性化合物の、または前記エチレン酸コポリマーおよび前記極性化合物の両方のカルボン酸部分の８０％超がカリウム陽イオンで、またはカリウムが陽イオンの圧倒的多数を占めるカリウムと１つ以上のアルカリ金属、遷移金属、およびアルカリ土類金属陽イオンとの組み合わせで中和されており；前記極性化合物が、酸が３６個より少ない炭素原子を有する、脂肪族有機カルボン酸、前記有機カルボン酸の塩、またはそれらの組み合わせからなる群から選択され；そして前記ポリオールが少なくとも３個のヒドロキシル部分を有する、
組成物。
【請求項２】
前記カリウム含有組成物が前記ポリオール、前記極性化合物、またはその両方をさらに含み、この組成物から製造されたフィルムもしくはシートが８，０００ｃｃ−ミル／ｍ2−日を超える酸素透過値（ＯＰＶ）を有する請求項１に記載の組成物。
【請求項３】
組成物を含むまたはそれから製造される物品であって、
前記物品がフィルムもしくはシート、造形もしくは成形品、またはそれらの組み合わせを含み；
前記フィルムもしくはシートには単層構造体または多層構造体が含まれ；
前記単層構造体または多層構造体がモノリシック構造体であってもよく；
前記組成物が請求項１または２に特徴付けられる通りである
物品。
【請求項４】
請求項３に特徴付けられる物品または、請求項１または２に特徴付けられる通りである組成物を含むまたはそれらから製造されたパッケージであって；腐りやすい食料をさらに含んでもよく；空気で取り囲まれている１つ以上の制御セクションをさらに含んでもよく；酸素、二酸化炭素、または水蒸気が専らこのセクションを通ってパッケージに出入りし、活発に呼吸する生体物質を含むパッケージ。